(57)【特許請求の範囲】
【請求項１】
レンズアセンブリを保持するための上側に上側外周面を持つ筒状部を有するレンズホルダと、前記上側外周面から離間した状態で前記レンズホルダに前記筒状部の外周囲に位置するように固定されたリング状の駆動コイルと、を備える、レンズホルダ駆動装置において、
前記レンズホルダは、前記筒状部に、前記駆動コイルの内周面のＮ（Ｎは２以上の整数）個の箇所をそれぞれ接着剤で接着させるためのＮ個の接着面を持ち、該Ｎ個の接着面は、前記筒状部の前記上側外周面を延在した面から前記筒状部の下側で、半径方向外側へ突出して設けられており、
前記Ｎ個の接着面の少なくとも１つは、当該Ｎ個の接着面に前記接着剤で前記駆動コイルの内周面の前記Ｎ個の箇所をそれぞれ接着させた後で、前記駆動コイルが前記レンズホルダから剥離するのを抑止する剥離抑止手段を持ち、
前記剥離抑止手段は、前記光軸方向と平行な方向とは異なる方向に延在するように、前記Ｎ個の接着面の少なくとも１つに形成された、少なくとも１本の剥離防止用溝から成り、
前記レンズホルダは、前記筒状部に、前記Ｎ個の接着面に対して前記接着剤を流し込むための充填手段を更に備え、
前記充填手段は、前記筒状部に、前記Ｎ個の接着面より上方に斜めに形成された傾斜通路から成る、
ことを特徴とするレンズホルダ駆動装置。
【請求項２】
前記レンズホルダの筒状部の光軸方向両側に設けられ、前記レンズホルダを径方向に位置決めした状態で光軸方向に変位可能に支持する一対の板バネを備える、請求項１に記載のレンズホルダ駆動装置。
【請求項３】
前記剥離防止用溝が複数本からなる、請求項２に記載のレンズホルダ駆動装置。
【請求項４】
前記異なる方向が、前記光軸方向と平行な方向と直交する方向である、請求項２又は３に記載のレンズホルダ駆動装置。
【請求項５】
前記Ｎは４に等しく、
前記４個の接着面は、前記光軸の回りで９０°の等角度間隔で設けられており、
前記光軸から前記４個の接着面の各々までの距離が、前記光軸から前記駆動コイルの内周面の前記４個の箇所の各々までの距離よりも僅かに短い、
請求項２乃至４のいずれか１項に記載のレンズホルダ駆動装置。
【請求項６】
前記剥離抑止手段は、前記４個の接着面のうち、少なくとも前記光軸を間に挟んで互いに対向する２個の接着面に形成されている、請求項５に記載のレンズホルダ駆動装置。
【請求項７】
前記駆動コイルと対向する永久磁石と、該永久磁石を保持するヨークとを備え、
前記ヨークは、内壁面に前記永久磁石を配置する筒状のシールドヨークを含み、該シールドヨークは、四角筒状をしており、
前記駆動コイルは、八角筒状をしており、４つの長辺部と、該４つの長辺部間に配置された４つの短辺部とから成り、
前記４つの短辺部の内周面が前記レンズホルダの前記４個の接着面に接着固定され、
前記永久磁石は、前記シールドヨークの四隅に取り付けられた４個の略三角柱状の永久磁石片から成る、
請求項５又は６に記載のレンズホルダ駆動装置。
【発明の詳細な説明】
【技術分野】
【０００１】
本発明は、レンズホルダ駆動装置に関し、特に、レンズホルダに対する駆動コイルの固定構造に関する。
【背景技術】
【０００２】
カメラ付き携帯電話機等の携帯端末には、小型カメラが搭載されているものが多い。この小型カメラには、オートフォーカス用レンズホルダ駆動装置が用いられる。従来から、種々のオートフォーカス用レンズホルダ駆動装置が提案されている。このようなレンズホルダ駆動装置に使用される駆動源（駆動方法）として、ボイス・コイル・モータ（ＶＣＭ）を使用したＶＣＭ方式が知られている。ＶＣＭ方式のレンズホルダ駆動装置では、駆動源（駆動部）として、駆動コイル（コイル）と、ヨークおよび永久磁石から構成される磁気回路とを備えている。レンズホルダ駆動装置は、アクチュエータとも呼ばれる。ＶＣＭ方式の駆動源（駆動部）は、「ムービングコイル方式」の駆動部と、「ムービングマグネット方式」の駆動部とに大別される。
【０００３】
一方、この種のレンズホルダ駆動装置は、レンズアセンブリ（レンズ）を保持するレンズホルダ（レンズ支持体）を備えている。「ムービングコイル方式」の駆動部を備えたレンズホルダ駆動装置では、レンズホルダ（レンズ支持体）に、上記駆動コイル（コイル）が固定される。従来から種々の固定構造が採用されている。
【０００４】
例えば、特許文献１（特開２００８−３１０２３７号公報）に開示されたレンズホルダ駆動装置では、レンズ保持体の外周側に、コイルを固定している。レンズ支持体は、半径方向の外側へ突出する複数個のコイル固定部を備え、これらコイル固定部にコイルの底面部を固定している。
【０００５】
また、特許文献２（特開２００９−２６５２１０号公報）に開示されたレンズホルダ駆動装置では、コイルが、レンズ支持体に一体に設けたコイル固定部に接着固定されている。コイル固定部は、レンズ支持体から半径方向外側へ突出している。したがって、コイルの底面部がレンズ固定部に接着固定される。
【０００６】
特許文献３（特開２００６−２０８４２７号公報）に開示されたレンズホルダ駆動装置では、レンズ支持体の外周に備えられたフランジ部にコイル取り付け部を設け、このコイル取り付け部にコイルの底面部を接着固定している。また、特許文献３では、コイル取り付け部の表面に無数の凹凸を形成して、接着剤の接着面積を広げて、コイルの接着強度を高めている。この場合、コイルの底面部とコイル取り付け部の凹凸との間に接着剤を充填してコイルを接着固定している。
【０００７】
特許文献４（特開２００７−３１６３９５号公報）に開示されたレンズホルダ駆動装置では、レンズ支持体の外周側部にコイルを固定している。この特許文献４では、その図２において、レンズ支持体の外周側部に、光軸方向と平行に穿設した溝を形成したものを図示している。この溝は、接着時に、コイルをレンズ支持体の外周側部に固定するための接着剤を流し込むための充填用溝と思われる。
【先行技術文献】
【特許文献】
【０００８】
【特許文献１】特開２００８−３１０２３７号公報（図５、［００１６］）
【特許文献２】特開２００９−２６５２１０号公報（図３、［００２６］）
【特許文献３】特開２００６−２０８４２７号公報（［００１９］〜［００２２］）
【特許文献４】特開２００７−３１６３９５号公報（図２、［００２１］）
【発明の概要】
【発明が解決しようとする課題】
【０００９】
上述した特許文献１〜４に開示されたレンズホルダ駆動装置では、レンズ支持体のコイル固定部（コイル取り付け部）に、コイルの底面部を接着固定している。
【００１０】
このような固定構造を持つオートフォーカス用レンズホルダ駆動装置を用いた小型カメラを搭載した携帯端末では、当該携帯端末を落下等したときの衝撃により、レンズホルダに対して駆動コイルが光軸方向へ移動（シフト）して、レンズホルダから駆動コイルが剥離してしまう恐れがある。
【００１１】
たとえば、特許文献３では、コイルの底面部とコイル取り付け部の凹凸との間に接着剤を充填してコイルを接着固定しているので、レンズ支持体に対するコイルの光軸方向への衝撃力に対して、コイルがレンズ支持体から剥離するのを抑止（防止）することは困難である。
【００１２】
また、特許文献４において、レンズ支持体の外周側部に、光軸方向と平行に穿設された充填用溝は、接着時に接着剤を流し込むためのものであって、上記特許文献３のような、レンズ支持体に対するコイルの接着強度を高めるためのものではない。
【００１３】
したがって、本発明の課題は、駆動コイルの光軸方向への衝撃力に対して、駆動コイルがレンズホルダから剥離するのを抑止（防止）することが可能な、レンズホルダ駆動装置を提供することにある。
【００１４】
本発明の他の目的は、説明が進むにつれて明らかになるだろう。
【課題を解決するための手段】
【００１５】
本発明の態様によるレンズホルダ駆動装置（１０）は、レンズアセンブリを保持するための上側に上側外周面を持つ筒状部（１４０）を有するレンズホルダ（１４）と、前記上側外周面から離間した状態で前記レンズホルダに前記筒状部の外周囲に位置するように固定されたリング状の駆動コイル（１６）と、を備える、レンズホルダ駆動装置であって、前記レンズホルダ（１４）は、前記筒状部（１４０）に、前記駆動コイル（１６）の内周面のＮ（Ｎは２以上の整数）個の箇所をそれぞれ接着剤（３２）で接着させるためのＮ個の接着面（１４２）を持ち、該Ｎ個の接着面は、前記筒状部の前記上側外周面を延在した面から前記筒状部の下側で、半径方向外側へ突出して設けられており、前記Ｎ個の接着面（１４２）の少なくとも１つは、当該Ｎ個の接着面に前記接着剤（３２）で前記駆動コイル（１６）の内周面の前記Ｎ個の箇所をそれぞれ接着させた後で、前記駆動コイル（１６）が前記レンズホルダ（１４）から剥離するのを抑止する剥離抑止手段（１４２ａ）を持ち、前記剥離抑止手段は、前記光軸（Ｏ）方向と平行な方向とは異なる方向に延在するように、前記Ｎ個の接着面（１４２）の少なくとも１つに形成された、少なくとも１本の剥離防止用溝（１４２ａ）から成り、前記レンズホルダ（１４）は、前記筒状部（１４０）に、前記Ｎ個の接着面（１４２）に対して前記接着剤（３２）を流し込むための充填手段（１４２ｂ）を更に備え、前記充填手段は、前記筒状部（１４０）に、前記Ｎ個の接着面（１４２）より上方に斜めに形成された傾斜通路（１４２ｂ）から成る、ことを特徴とする。
【００１６】
上記本発明に係るレンズホルダ駆動装置（１０）において、レンズホルダ駆動装置（１０）は、前記レンズホルダの筒状部の光軸（Ｏ）方向両側に設けられ、前記レンズホルダ（１４）を径方向に位置決めした状態で光軸（Ｏ）方向に変位可能に支持する一対の板バネ（２２，２４）を備えてよい。前記剥離防止用溝（１４２ａ）は複数本からなることが好ましい。前記異なる方向が、前記光軸（Ｏ）方向と平行な方向と直交する方向であることが望ましい。
【００１７】
上記本発明に係るレンズホルダ駆動装置（１０）において、前記Ｎは、例えば、４に等しくてよい。この場合、前記４個の接着面（１４２）は、前記光軸（Ｏ）の回りで９０°の等角度間隔で設けられることが望ましく、前記光軸（Ｏ）から前記４個の接着面（１４２）の各々までの距離が、前記光軸（Ｏ）から前記駆動コイル（１６）の内周面の前記４個の箇所の各々までの距離よりも僅かに短いのが好ましい。前記剥離抑止手段は、例えば、前記４個の接着面（１４２）のうち、少なくとも前記光軸（Ｏ）を間に挟んで互いに対向する２個の接着面に形成されてよい。上記レンズホルダ駆動装置（１０）は、前記駆動コイルと対向する永久磁石（１８）と、該永久磁石を保持するヨーク（２０）とを備えてよい。この場合、前記ヨーク（２０）は、内壁面に前記永久磁石（１８）を配置する筒状のシールドヨーク（２０２）を含み、該シールドヨーク（２０２）は、四角筒状をしてよい。この場合、前記駆動コイル（１６）は、八角筒状をしており、４つの長辺部（１６２）と、該４つの長辺部間に配置された４つの短辺部（１６４）とから成ってよく、前記４つの短辺部（１６４）の内周面が前記レンズホルダ（１４）の前記４個の接着面（１４２）に接着固定されてよい。前記永久磁石（１８）は、前記シールドヨーク（２０２）の四隅に取り付けられた４個の略三角柱状の永久磁石片（１８２）から成ってよい。
【００１８】
尚、上記括弧内の参照符号は、理解を容易にするために付したものであり、一例に過ぎず、これらに限定されないのは勿論である。
【発明の効果】
【００１９】
本発明では、接着面に衝撃により駆動コイルがレンズホルダから剥離するのを抑止する剥離抑止手段を設けたので、駆動コイルの光軸方向への衝撃力に対して、駆動コイルがレンズホルダから剥離するのを抑止（防止）することができる。
【図面の簡単な説明】
【００２０】
【図１】本発明の一実施の形態によるレンズホルダ駆動装置の分解斜視図である。
【図２】図１のレンズホルダ駆動装置に使用される使用されるレンズホルダを示す正面図である。
【図３】図２に示したレンズホルダの部分断面図である。
【図４】レンズホルダに駆動コイルを接着固定した状態を示す部分拡大断面図である。
【図５】図４をより詳細に示した部分拡大断面図である。
【図６】接着剤（接着樹脂）を接着面に対して流し込む様子を示す、レンズホルダの正面図である。
【図７】図１に示したレンズホルダ駆動装置に使用されるカバーの底面図である。
【図８】図１に示したレンズホルダ駆動装置に使用されるレンズホルダの平面図である。
【図９】図８に示したレンズホルダの正面図である。
【図１０】図９に示したレンズホルダの底面図である。
【図１１】図１に示したレンズホルダ駆動装置に使用されるアクチュエータ・ベースの平面図である。
【図１２】カバーとレンズホルダとの間のストッパ箇所を示す説明図である。
【図１３】レンズホルダとアクチュエータ・ベースとの間のストッパ箇所を示す説明図である。
【図１４】図１に示したレンズホルダ駆動装置に使用されるヨークを底面側から見た斜視図である。
【図１５】図１に示したレンズホルダ駆動装置に使用されるレンズホルダを底面側から見た斜視図である。
【図１６】図１に示したレンズホルダ駆動装置の平面図である。
【図１７】図１に示したレンズホルダ駆動装置の側面図である。
【図１８】図１７の線XVIII-XVIIIについての断面図である。
【発明を実施するための形態】
【００２１】
以下、図面を参照して、本発明の実施の形態について説明する。
【００２２】
図１乃至図３を参照して、本発明の一実施の形態によるレンズホルダ駆動装置（アクチュエータ）１０について説明する。図１はレンズホルダ駆動装置（アクチュエータ）１０を示す分解斜視図である。図２は、レンズホルダ駆動装置（アクチュエータ）１０に使用されるレンズホルダ１４を示す正面図である。図３は、図２に示したレンズホルダ１４の部分断面図である。
【００２３】
ここでは、図１乃至図３に示されるように、直交座標系（Ｘ，Ｙ，Ｚ）を使用している。図１乃至図３に図示した状態では、直交座標系（Ｘ，Ｙ，Ｚ）において、Ｘ軸方向は前後方向（奥行方向）であり、Ｙ軸方向は左右方向（幅方向）であり、Ｚ軸方向は上下方向（高さ方向）である。そして、図１乃至図３に示す例においては、上下方向Ｚがレンズの光軸Ｏ方向である。
【００２４】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００２５】
図示のレンズホルダ駆動装置１０は、駆動源（駆動方法）として、ボイス・コイル・モータ（ＶＣＭ）を使用した「ムービングコイル方式」の駆動部（ＶＣＭ方式）を備えた、レンズホルダ駆動装置である。
【００２６】
図示のレンズホルダ駆動装置１０は、オートフォーカス可能なカメラ付きの携帯電話機、スマートフォン、ノート型パソコン、タブレット形パソコン、携帯型ゲーム機、Ｗｅｂカメラ、車載用カメラなどの携帯端末に備えられる。レンズホルダ駆動装置１０は、レンズアセンブリ（レンズバレル）（図示せず）を取り付けることが可能なレンズホルダ１４（後述する）を光軸Ｏ方向に移動させるためのものである。したがって、光軸Ｏは駆動軸である。レンズホルダ駆動装置１０は、Ｚ軸方向（光軸Ｏ方向）の下側（後側）に配置されたアクチュエータ・ベース１２を有する。このアクチュエータ・ベース１２の下部（後部）には、図示はしないが、センサ基板に配置された撮像素子が搭載される。この撮像素子は、レンズアセンブリにより結像された被写体像を撮像して電気信号に変換する。撮像素子は、例えば、ＣＣＤ（charge coupled device）型イメージセンサ、ＣＭＯＳ（complementary metal oxide semiconductor）型イメージセンサ等により構成される。したがって、レンズホルダ駆動装置１０と、センサ基板と、撮像素子との組み合わせによって、カメラモジュールが構成される。
【００２７】
尚、アクチュエータ・ベース１２の材質は、寸法精度が良好で、耐熱性に優れた材料であることが望ましく、例えば、液晶ポリマー（ＬＣＰ）から成る。
【００２８】
レンズホルダ駆動装置１０は、レンズアセンブリ（レンズバレル）を保持するための筒状部１４０を有するレンズホルダ１４と、このレンズホルダ１４に筒状部１４０の周囲に位置するように固定された駆動コイル１６と、この駆動コイル１６と対向して配置された永久磁石１８と、この永久磁石１８を保持するヨーク２０と、レンズホルダ１４の筒状部１４０の光軸Ｏ方向両側に設けられた一対の板バネ２２、２４を備える。
【００２９】
尚、レンズホルダ１４の材質は、耐熱性に優れた材料であることが望ましく、例えば、ポリアミド（ＰＡ）から成る。
【００３０】
永久磁石１８とヨーク２０とによって磁気回路が構成される。磁気回路（１８，２０）と駆動コイル１６との組み合わせによって、ムービングコイル方式の駆動部が構成される。
【００３１】
一対の板バネ２２、２４は、レンズホルダ１４を径方向に位置決めした状態で光軸Ｏ方向に変位可能に支持する。一対の板バネ２２、２４のうち、一方の板バネ２２は上側板バネと呼ばれ、他方の板バネ２４は下側板バネと呼ばれる。
【００３２】
また、前述したように、実際の使用状況においては、Ｚ軸方向（光軸Ｏ方向）の上方向が前方向、Ｚ軸方向（光軸Ｏ方向）の下方向が後方向となる。したがって、上側板バネ２２は前側スプリングとも呼ばれ、下側板バネ２４は後側スプリングとも呼ばれる。
【００３３】
上側板バネ（前側スプリング）２２および下側板バネ（後側スプリング）２４は、例えば、ステンレス鋼やベリリウム銅などの金属製からなる。そして、上側板バネ（前側スプリング）２２および下側板バネ（後側スプリング）２４は、所定の薄板に対するプレス加工、あるいはフォトリソグラフィ技術を用いたエッチング加工により製造される。尚、プレス加工よりもエッチング加工の方が好ましい。その理由は、エッチング加工では、板バネに残留応力が残らないからである。
【００３４】
図１に示されるように、ヨーク２０は四角筒状をしている。すなわち、ヨーク２０は、四角筒形状の外筒部２０２と、この外筒部２０２の上端で、外筒部の内側へ延出する四角形のリング状端部２０４と、から構成される。外筒部２０２はシールドヨークとも呼ばれる。
【００３５】
一方、駆動コイル１６は、八角筒状をしている。すなわち、駆動コイル１６は、４つの長辺部１６２と、これら４つの長辺部間に配置された４つの短辺部１６４とから成る。レンズホルダ１４の筒状部１４０は、光軸Ｏの回りで９０°の角度間隔で、半径方向外側へ突出して設けられた４つの接着面１４２を持つ。これら４つの接着面１４２に、駆動コイル１６の４つの短辺部１６４の内周面が、後述するように、接着剤（接着樹脂）で接着固定される。また、レンズホルダ１４は、その下端部で、半径方向外側へ突出して、駆動コイル１６の底面部を位置決めするための位置決め突起１４４を持つ。位置決め突起１４４はリング端部とも呼ばれる。
【００３６】
すなわち、レンズホルダ１４は、筒状部１４０に、駆動コイル１６の内周面の４個の箇所（この例では、４つの短辺部１６４の内周面）をそれぞれ接着剤（接着樹脂）で接着させるための４個の接着面１４２を持つ。
【００３７】
これに対して、永久磁石１８は、駆動コイル１６の４つの長辺部１６２にそれぞれ対向して配置された４個の略三角柱状の永久磁石片１８２から構成される。４個の永久磁石片１８２は、ヨーク２０の外筒部(シールドヨーク)２０２の４隅の内壁面に配置されている。とにかく、永久磁石１８は、ヨーク２０の四角筒形状の外筒部（シールドヨーク）２０２の四隅に配置された、４個の略三角柱状の永久磁石片１８２から成る。このように、ヨーク２０の外筒部（シールドヨーク）２０２の四隅の内周面に、駆動コイル１６と間隔を置いて、永久磁石１８が配置されている。
【００３８】
上側板バネ２２はレンズホルダ１４における光軸Ｏ方向の上端側に配置され、下側板バネ２４はレンズホルダ１４における光軸Ｏ方向の下端側に配置される。
【００３９】
上側板バネ２２は、レンズホルダ１４の上端部に取り付けられる内周側端部２２２と、ヨーク２０のリング状端部２０４に後述のようにして取り付けられる外周側端部２２４とを有する。内周側端部２２２と外周側端部２２４との間には、４本の腕部２２６が設けられている。各腕部２２６は、内周側端部２２２と外周側端部２２４とを繋いでいる。
【００４０】
上側板バネ２２の外周側端部２２４は、ヨーク２０のリング状端部２０４とカバー２８との間に挟持され固定されている。詳述すると、カバー２８は、中央部に開口部２８ａを持つ、四角リング形状をしている。カバー２８は、その四隅で下方へ突出する４つの突起２８２を持つ。上側板バネ２２の外周側端部２２４は、これら４つの突起２８２が貫通する４つの貫通孔２２４ａを持つ。そして、ヨーク２０のリング状端部２０４は、その四隅に、４つの突起２８２が嵌入される４つの嵌入孔２０４ａを持つ。したがって、カバー２８の４つの突起２８２は、上側板バネ２２の外周側端部２２４の４つの貫通孔２２４ａを介して、ヨーク２０のリング状上端部２０４の４つの嵌入孔２０４ａに嵌入される。カバー２８の４つの突起２８２の先端を熱溶着し、かつ熱硬化性エポキシ樹脂を使用してカバー２８をヨーク２０のリング状端部２０４に接着することによって、カバー２８はヨーク２０に固定される。
【００４１】
尚、カバー２８の材質は、例えば、ポリカーボネート（ＰＣ）から成る。
【００４２】
下側板バネ２４は、レンズホルダ１４の下端に取り付けられる内周側端部２４２と、アクチュエータ・ベース１２に後述のようにして取り付けられる外周側端部２４４とを有する。内周側端部２４２と外周側端部２４４とは、４本の腕部２４６で連結されている。
【００４３】
下側板バネ２４の内周側端部２４２は、レンズホルダ１４の下端側に固定されている。
【００４４】
一方、下側板バネ２４の外周側端部２４４は、アクチュエータ・ベース１２に固定される。詳述すると、アクチュエータ・ベース１２は、中央部に円形開口部１２ａを持つ、四角リング形状をしている。アクチュエータ・ベース１２は、その四隅で、上方へ突出する４つの突起１２２を持つ。下側板バネ２４の外周側端部２４４は、これら４つの突起１２２が嵌入する４つの嵌入孔２４４ａを持つ。これら４つの突起１２２の先端を熱溶着し、かつ熱硬化性エポキシ樹脂を使用してアクチュエータ・ベース１２に下側板バネ２４の外周側端部２４４を接着することによって、下側板バネ２４の外周側端部２４４はアクチュエータ・ベース１２に固定される。
【００４５】
図３に示されるように、レンズホルダ１４の筒状部１４０の内周壁には雌ネジ１４０ａが切られている。一方、図示はしないが、レンズアセンブリ（レンズバレル）の外周壁には、上記雌ネジ１４０ａに螺合される雄ネジが切られている。従って、レンズアセンブリ（レンズバレル）をレンズホルダ１４に装着するには、レンズアセンブリ（レンズバレル）をレンズホルダ１４の筒状部１４０に対して光軸Ｏ周りに回転して光軸Ｏ方向に沿って螺合することにより、レンズアセンブリ（バレル）をレンズホルダ１４内に収容し、接着剤などによって互いに接合する。
【００４６】
図１に戻って、レンズホルダ駆動装置１０は、駆動コイル１６に電力を供給するための第１及び第２の電極端子３０−１、３０−２を備えている。アクチュエータ・ベース１２は、これら第１及び第２の電極端子３０−１、３０−２を挿設するための一対の挿入孔１２ｂを持つ。また、下側板バネ２４は、互いに電気的に絶縁された第１及び第２の板バネ２４−１、２４−２から構成されている。第１及び第２の電極端子３０−１、３０−２は、それぞれ、第１及び第２の板バネ２４−１、２４−２の外周側端部２４４にはんだ（図示せず）で電気的に接続されている。
【００４７】
一方、図示はしないが、駆動コイル１６は第１及び第２の端部を持つ。駆動コイル１６の第１及び第２の端部は、それぞれ、第１及び第２の板バネ２４−１、２４−２の内周側端部２４２に絡げてはんだ（図示せず）付けされている。レンズホルダ１４は、これらはんだ付け部分近くで逃げ部（図示せず）を持ち、熱対策が施されている。
【００４８】
したがって、第１及び第２の電極端子３０−１、３０−２から第１及び第２の板バネ片２４−１、２４−２を介して駆動コイル１６に通電することで、永久磁石１８の磁界と駆動コイル１６に流れる電流による磁界との相互作用によって、レンズホルダ１４（レンズアセンブリ）を光軸Ｏ方向に位置調整することが可能である。
【００４９】
上記レンズホルダ駆動装置１０において、レンズアセンブリを保持するレンズホルダ１４と駆動コイル１６との組み合わせは、中央部に配置された柱状の可動部（１４，１６）として働く。また、アクチュエータ・ベース１２、永久磁石１８、ヨーク２０、およびカバー２８の組み合わせは、可動部（１４，１６）の周囲に配置された筒状の固定部（１２、１８，２０、２８）として働く。
【００５０】
次に、図１乃至図３に加えて図４乃至図６をも参照して、レンズホルダ１４に対する駆動コイル１６の固定構造について説明する。図４は、レンズホルダ１４に駆動コイル１６を接着剤（接着樹脂）３２で接着固定した状態を示す部分拡大断面図であり、図５は、図４をより詳細に示した部分拡大断面図である。図６は、接着剤（接着樹脂）を接着面に対して流し込む様子を示す、レンズホルダ１４の正面図である。
【００５１】
図４に示されるように、光軸Ｏから４個の接着面１４２の各々までの距離は、光軸Ｏから駆動コイル１６の短辺部１６４の内周面の各々までの距離よりも僅かに短い。
【００５２】
図５に示されるように、駆動コイル１６は、導線をリング状に巻き回された形状（構造）を有する。したがって、レンズホルダ１４の接着面１４２と駆動コイル１６の短辺部１６４との間の隙間に充填された接着剤（接着樹脂）３２（図４）は、駆動コイル１６の内周面から駆動コイル１６の導線間の隙間へ浸透することになる。
【００５３】
図示の例では、図３に示されるように、４個の接着面１４２のうち、光軸Ｏを間に挟んで互いに対向する２個の接着面１４２の各々には、２本の剥離防止用溝１４２ａが光軸Ｏ方向と平行な方向と直交する方向に形成されている。図示の例では、これら剥離防止用溝１４２ａが形成された２個の接着面１４２は、光軸Ｏを間に挟んで前後方向Ｘに互いに対向している。
【００５４】
これら剥離防止用溝１４２ａは、４個の接着面１４２に接着剤（接着樹脂）３２で駆動コイル１６の内周面の４個の箇所（本例では、４つの短辺部１６４の内周面）をそれぞれ接着させた後で、駆動コイル１６がレンズホルダ１４から剥離するのを抑止する剥離抑止手段として働く。
【００５５】
このように、２個の接着面１４２に剥離抑止手段としての剥離防止用溝１４２ａを形成することにより、レンズホルダ１４と駆動コイル１６との間の接着強度を飛躍的に向上させることができる。
【００５６】
本発明者は、このようなレンズホルダ１４に対する駆動コイル１６の固定構造を持つレンズホルダ駆動装置１０を備えたオートフォーカス可能なカメラ付き携帯電話機（擬似筺体）に対して落下試験を行ったところ、あらゆる方向（前方向、後方向、右方向、左方向、上方向、下方向）の落下において、レンズホルダ１４から駆動コイル１６が剥離しないことを確認した。
【００５７】
尚、本実施の形態では、４個の接着面１４２のうち互いに対向する２個の接着面１４２に剥離防止用溝１４２ａを形成しているが、４個の接着面１４２の全てに剥離防止用溝１４２ａを形成しても良いし、少なくも１個の接着面１４２にのみ剥離防止用溝１４２ａを形成しても良い。また、本実施の形態では、接着面１４２に２本の剥離防止用溝１４２ａを形成しているが、剥離防止用溝１４２ａの本数は２本に限定されず、１本でも、３本以上あっても良い。
【００５８】
また、本実施の形態では、各剥離防止用溝１４２ａが、光軸Ｏ方向と平行な方向と直交する方向へ延在しているが、延在する方向はこれに限定されず、光軸Ｏ方向と平行な方向とは異なる方向へ延在していて良い。
【００６０】
図示のレンズホルダ駆動装置１０において、レンズホルダ１４は、その筒状部１４０に、４個の接着面１４２より上方に斜めに形成された傾斜通路１４２ｂを更に備える。
【００６１】
これら傾斜通路１４２ｂは、図６の矢印で示されるように、４個の接着面１４２に対して接着剤（接着樹脂）３２を流し込むための充填手段として働く。
【００６２】
次に、図７乃至図１３を参照して、レンズホルダ１４の上下方向のストッパについて説明する。図７はカバー２８の底面図であり、図８はレンズホルダ１４の平面図である。図９はレンズホルダ１４の正面図である。図１０はレンズホルダ１４の底面図であり、図１１はアクチュエータ・ベース１２の平面図である。図１２はカバー２８とレンズホルダ１４との間のストッパ箇所を示す説明図であり、図１３はレンズホルダ１４とアクチュエータ・ベース１２との間のストッパ箇所を示す説明図である。
【００６３】
図７に示されるように、カバー２８は、半径方向内側へ突出する４つのカバー突出部２８４を持つ。一方、図８に示されるように、レンズホルダ１４の筒状部１４０は、その上端から上方へ突出する４つのホルダ上側突出部１４６を持つ。
【００６４】
図１２に示されるように、レンズホルダ１４が上方へ移動されたとき、これら４つのホルダ上側突出部１４６は、カバー２８のそれぞれ対応する４つのカバー突出部２８４で係止される。すなわち、カバー２８の４つのカバー突出部２８４は、レンズホルダ１４の上方向の移動を規制する上側ストッパ（係止部材）として働く。
【００６５】
図１１に示されるように、アクチュエータ・ベース１２は、円形開口部１２ａの周囲で、上方へ突出する６つのベース突出部１２４を持つ。一方、図１０に示されるように、レンズホルダ１４のリング端部１４４は、下方へ突出する６つのホルダ下側突出部１４８を持つ。
【００６６】
図１３に示されるように、レンズホルダ１４が下方へ移動されたとき、これら６つのホルダ下側突出部１４８は、アクチュエータ・ベース１２のそれぞれ対応する６つのベース突出部１２４で係止される。すなわち、アクチュエータ・ベース１２の６つのベース突出部１２４は、レンズホルダ１４の下方向の移動を規制する下側ストッパ（係止部材）として働く。
【００６７】
次に、図１４乃至図１８を参照して、レンズホルダ１４の回転規制機構について説明する。図１４はヨーク２０を底面側から見た斜視図であり、図１５はレンズホルダ１４を底面側から見た斜視図である。図１６はレンズホルダ駆動装置１０の平面図であり、図１７はレンズホルダ駆動装置１０の側面図であり、図１８は図１７の線XVIII-XVIIIについての断面図である。
【００６８】
図１４に示されるように、ヨーク２０の外筒部２０２は、内壁面２０２ａを持つ。一方、図１５に示されるように、レンズホルダ１４のリング端部１４４は、概略８つの頂点部１４４ａを持つ八角形の外形をしている。リング端部１４４の８つの頂点部１４４ａは、ヨーク２０の外筒部２０２の内壁面２０２ａと所定の隙間をあけて対向する。
【００６９】
従って、図１８に示されるように、ヨーク２０に対してレンズホルダ１４が光軸Ｏの回りに矢印Ａで示されるように回転しようとすると、図１８のＢで示されるような位置で、ヨーク２０の外筒部２０２の内壁面２０２ａに、レンズホルダ１４のリング端部１４４のいずれか１つの頂点部１４４ａが接触（係止）するので、レンズホルダ１４の回転が規制される。
【００７０】
以上、本発明についてその好ましい実施の形態によって説明してきたが、本発明の精神を逸脱しない範囲内で、種々の変形が当業者によって可能であるのは明らかである。
【００７１】
例えば、上述した実施の形態では、レンズホルダ１４が、その筒状部１４０に４個の接着面１４２を持っているが、接着面１４２の個数Ｎは、一般的に２以上であってよい。この場合、Ｎ個の接着面１４２は、光軸Ｏの回りで（３６０°／Ｎ）の等角度間隔で設けられるのが好ましい。
【符号の説明】
【００７２】
１０    レンズホルダ駆動装置（アクチュエータ）
１２    アクチュエータ・ベース
１２ａ  円形開口部
１２ｂ  挿入孔
１２２  突起
１２４  ベース突出部
１４    レンズホルダ
１４０    筒状部
１４０ａ    雌ネジ
１４２    接着面
１４２ａ    剥離防止用溝（剥離抑止手段）
１４２ｂ    傾斜通路（充填手段）
１４４    位置決め突起（リング端部）
１４６    ホルダ上側突出部
１４８    ホルダ下側突出部
１６    駆動コイル
１６２  長辺部
１６４  短辺部
１８    永久磁石
１８２    略三角柱状の永久磁石片
２０    ヨーク
２０２    シールドヨーク（外筒部）
２０４    リング状端部
２０４ａ    嵌入孔
２２    上側板バネ（前側スプリング）
２２２    内周側端部
２２４    外周側端部
２２４ａ    貫通孔
２２６    腕部
２４    下側板バネ（後側スプリング）
２４−１、２４−２    板バネ片
２４２    内周側端部
２４４    外周側端部
２４４ａ    嵌入孔
２４６    腕部
２８    カバー
２８ａ    開口部
２８２    突起
２８４    カバー突出部
３０−１、３０−２    電極端子
３２    接着剤（接着樹脂）
Ｏ    光軸（駆動軸）
【図１】
0005825487.tif 000002
【図２】
0005825487.tif 000003
【図３】
0005825487.tif 000004
【図４】
0005825487.tif 000005
【図５】
0005825487.tif 000006
【図６】
0005825487.tif 000007
【図７】
0005825487.tif 000008
【図８】
0005825487.tif 000009
【図９】
0005825487.tif 000010
【図１０】
0005825487.tif 000011
【図１１】
0005825487.tif 000012
【図１２】
0005825487.tif 000013
【図１３】
0005825487.tif 000014
【図１４】
0005825487.tif 000015
【図１５】
0005825487.tif 000016
【図１６】
0005825487.tif 000017
【図１７】
0005825487.tif 000018
【図１８】
0005825487.tif 000019